(57)【要約】本発明は、自動販売機において、特に、特定貨幣が投入される金額投入口と、金額返還口と、使用者から商品選択のための使用者入力を受信する入力部と、使用者が選択した商品が出る商品出口と、及び所定期間中の商品の販売実績を考慮して商品の順位を決定し、使用者が選択した商品の順位に応じて利益が提供されるように制御する商品対決モジュールと、を含むことを特徴とする自動販売機に関するものである。
2013506219.tif 000002
【特許請求の範囲】
【請求項１】
特定貨幣が投入される金額投入口と、
金額返還口と、
使用者が商品選択をする使用者入力を受信する入力部と、
前記使用者が選択した商品が出る商品出口と、
所定期間中の商品の販売実績を考慮して商品の順位を決定し、前記使用者が選択した商品の順位に応じて利益が提供されるように制御する商品対決モジュールと、を含むことを特徴とする自動販売機。
【請求項２】
前記商品対決モジュールが行う利益提供の制御は、前記使用者が選択した商品の順位に応じて所定金額が金額返還口を通じて出るようにする制御を含むことを特徴とする請求項１に記載の自動販売機。
【請求項３】
前記所定金額は、複数の販売を通じて前記使用者が選択した商品に割り当てられた累積金額であることを特徴とする請求項２に記載の自動販売機。
【請求項４】
前記商品対決モジュールが行う利益提供の制御は、前記使用者が選択した商品が所定数さらに出るようにする制御を含むことを特徴とする請求項１に記載の自動販売機。
【請求項５】
前記商品対決モジュールが行う利益提供の制御は、前記自動販売機を通じて販売される商品のうちの特定商品に対して、前記使用者が前記特定商品の販売価格より割引された価格で購入することができる環境を提供する制御を含むことを特徴とする請求項１に記載の自動販売機。
【請求項６】
前記商品対決モジュールが行う利益提供の制御は、前記使用者に特定のプレゼントを提供するようにする制御を含むことを特徴とする請求項１に記載の自動販売機。
【発明の詳細な説明】
【技術分野】
【０００１】
本発明は、自動販売機に関し、特に商品間の対決を進めた自動販売機に関するものである。
【背景技術】
【０００２】
過去の労働集約的産業構造から技術集約的産業社会へと変わって、大量生産、大量消費、消費パターンの変化などマーケティング環境が変化した。これによって、新たな流通構造の出現が要望され、無人システムで品物を販売する自動販売機の使用が急増した。例えば、小銭やカードを投入して使用者が所望の物を選択すると、該当商品が自動的に出る。
【０００３】
一般に、自動販売機は、学校、官公署、各種病院、運動場、電車の駅、空港及び公園などの公共施設に設けられ、切符、タバコ、コーヒー、飲料などの商品を販売している。このような自動販売機の登場によって、人材不足の補完、消費環境及び消費様式の変化、２４時間無人販売システム、小資本による運営、場所の制限、人件費の上昇などの問題が解決された。しかし、現在の自動販売機は、単に特定商品を無人で販売するという機能のみを提供するという短所がある。
【発明の概要】
【発明が解決しようとする課題】
【０００４】
本発明の目的は、商品間の対決を進めてイベントを提供する自動販売機を提供することである。
【課題を解決するための手段】
【０００５】
上記目的を達成するための本発明の自動販売機は、特定貨幣が投入される金額投入口と、金額返還口と、使用者が商品選択をする使用者入力を受信する入力部と、使用者が選択した商品が出る商品出口と、所定期間中の商品の販売実績を考慮して商品の順位を決定し、使用者が選択した商品の順位に応じて利益が提供されるように制御する商品対決モジュールと、を含んで構成される。
【発明の効果】
【０００６】
本発明の一実施例による自動販売機は、商品間の対決を通じて対決順位を選定し、選定された対決順位に相応するイベント及び利益を提供することによって、商品に対する興味及び競争心を誘発して使用者の積極的な購買意欲を誘導することができる。
【図面の簡単な説明】
【０００７】
【図１】本発明の一実施例による商品対決方式で運用される自動販売機を示した図面である。
【図２】本発明の一実施例による自動販売機の商品対決モジュールの構成を概略的に示すブロック図である。
【図３】本発明の一実施例による自動販売機の商品対決状況をグラフ形態で示すディスプレイ画面を示した図面である。
【図４】本発明の一実施例による自動販売機を通じて提供される特定商品に関する広告及び広報画面を示した図面である。
【図５】本発明の一実施例による自動販売機のイベント当選画面を示した図面である。
【発明を実施するための形態】
【０００８】
本発明の他の目的、特徴及び利点は、添付した図面を参照した実施形態の詳細な説明を通じて明白になるものである。
以下、上記目的を具体的に実現できる本発明の好ましい実施例を添付した図面を参照して説明する。この時、図面に示され、またこれによって説明される本発明の構成及び作用は、少なくとも１つの実施例として説明されるものであり、これによって本発明の技術的思想とその構成及び作用が制限されるものではない。
【０００９】
本発明において用いられる用語は、本発明での機能を考慮しながら可能な限り現在広く用いられる一般的な用語を選択したが、これは当分野に従事する技術者の意図、慣例、新たな技術の出現などによって変わることがある。また、出願人が任意に選んだ用語もあり、この場合、該当する発明の説明部分で詳細にその意味を記載する。従って、本発明において用いられる用語は、単純な用語の名称ではなく、その用語が有する意味と本発明の全般にわたる内容に基づいて定義されるべきである。
【００１０】
本明細書の全体において自動販売機とは、小銭やカードを投入して商品を購入する無人販売機を意味する。即ち、使用者が自動販売機に小銭やカードを投入して所望の物を選択すると、使用者は自動販売機から該当商品の提供を受けることができる。例えば、自動販売機は、学校、官公署、各種病院、運動場、電車駅、電鉄駅、空港及び公園などの公共施設に設けられ、切符、タバコ、コーヒー、飲料などを販売することができる。また、自動販売機は、複数商品間の商品対決を進めることができる。即ち、この自動販売機は、複数商品を販売するものの、販売された複数商品それぞれの販売数を一定時間  カウントできる。そして、自動販売機は、カウントされた複数商品の各々の販売数を根拠に対決順位を選定し、対決順位に応じた利益を提供することができる。
【００１１】
本明細書全体において利益とは、商品対決によって決定された対決順位に応じて支給される別途のボーナスを意味する。この利益は、この商品を購入した使用者に支給される。例えば、この利益は、所定金額の割引、プレゼントの提供などの形態で提供される。また、この利益は、対決順位に応じて差をつけて提供されることもできる。
【００１２】
図１は、本発明の一実施例による商品対決方式で運用された自動販売機を示した図面である。図１に示すように、本発明の一実施例による自動販売機は、自動販売機を通じて販売される複数の商品間の商品対決を進めることができる。
【００１３】
自動販売機は、商品陳列部（１１０）、金額投入口（１２０）、金額返還口（１３０）、選択ボタン部（１４０）、商品対決モジュール（１５０）、ディスプレイ部（１６０）、音声出力部（１７０）、商品出口（１８０）を含む構成とすることができる。
【００１４】
自動販売機の商品陳列部（１１０）は、自動販売機を通じて販売される複数の商品を陳列した空間を含んでいる。即ち、自動販売機は商品陳列部（１１０）を通じて、自動販売機で販売される複数商品を模型、写真、絵などの形態で陳列できる。
【００１５】
自動販売機の金額投入口（１２０）を通じて特定使用者から現金やカードが投入され、選択ボタン部（１４０）を通じて特定商品に対する選択信号入力が受信できる。即ち、使用者は、金額投入口（１２０）から自動販売機に現金やカードを投入する。そして、使用者は、所望の商品の提供を受けるために、特定商品に相応する選択ボタン部（１４０）を押して選択信号を入力する。すると、商品出口（１８０）を通じて、使用者によって選択された特定商品が提供される。この時、金額返還口（１３０）は、不良の小銭及び紙幣などを返還したり、商品購入時の釣り銭を提供する。一方、金額投入口（１２０）は、小銭及びカードを投入する手段以外にも、ＲＦＩＤ（Ｒａｄｉｏ  Ｆｒｅｑｕｅｎｃｙ  Ｉｄｅｎｔｉｆｉｃａｔｉｏｎ）、ＷｉＦｉ、ブルートゥース（Ｂｌｕｅ−Ｔｏｏｔｈ）、ジグビー（Ｚｉｇｂｅｅ）、赤外線通信（ＩｒＤＡ）などの近距離無線通信モジュール（Ｎｅａｒ  Ｆｉｅｌｄ  Ｃｏｍｍｕｎｉｃａｔｉｏｎ；ＮＦＣ）で具現されることもできる。従って、近距離無線通信モジュールを用いた携帯電話決済などをサポートすることができる。
【００１６】
自動販売機に備えられた商品対決モジュール（１５０）は、所定期間中の商品の販売実績を考慮して商品の順位を決定し、使用者が選択した商品の順位に応じて利益が提供されるように制御することができる。即ち、商品対決モジュール（１５０）は、自動販売機を通じて販売された複数商品の各々をカウントして対決順位を選定し、選定された対決順位を根拠に利益を提供できる。
【００１７】
商品対決モジュール（１５０）は、所定時間中にこの自動販売機を通じて販売された複数商品それぞれの総販売数または総販売額をカウントできる。そして商品対決モジュール（１５０）は、カウントされた総販売数または総販売額を根拠に複数商品の対決順位を選定することができる。次に、商品対決モジュール（１５０）は、選定された対決順位に応じた利益を提供できる。この利益はこの商品を購入した使用者に提供されるもので、所定金額の割引、プレゼントの提供などがある。この時、この利益は選定された対決順位に応じて差をつけて提供されることができる。例えば、商品対決モジュール（１５０）は、使用者が選択した商品の順位に応じて所定金額が金額返還口を通じて出るようにすることができる。この時、所定金額は、複数の販売を通じて特定商品に割り当てられた累積金額を含むことができる。累積金額は、特定商品を１回購入した場合、返還を受けることができる金額を含むことができる。そして累積金額は、特定商品を１回購入した場合に返還を受けることができる金額を所定回数累積した金額をさらに含むことができる。また、商品対決モジュール（１５０）は、使用者が選択した商品が所定数さらに出るようにしたり、特定のプレゼントをさらに提供することもできる。また、商品対決モジュール（１５０）は、自動販売機を通じて販売される商品のうち特定商品に対して、使用者が特定商品の販売価格より割引された価格（または無料）で購入することができる環境を提供できる。
【００１８】
一方、商品販売モジュール（１５０）は、自動販売機に別途備えられたディスプレイ部（１６０）及び音声出力部（１７０）を通じて、現在の商品対決状況をリアルタイムで出力できる。ディスプレイ部（１６０）は、商品対決現況をグラフ（１６１）や数値などで示すことができる。この時、ディスプレイ部（１６０）は、所定領域に商品対決の進行時間（１６２）をさらに示すことができる。そして音声出力部（１７０）は、警告音、音声などを通じて商品対決現況をリアルタイムで案内できる。
【００１９】
上記したように、本発明の一実施例による自動販売機は、音声出力部及びディスプレイ部等の別途の出力装置を備え、使用者に商品対決の進行状況をリアルタイムで提供することによって、使用者の商品対決参加度を増加させることができるという長所がある。
【００２０】
図２は、本発明の一実施例による自動販売機の商品対決モジュールの構成を概略的に示すブロック図である。図２に示したように、本発明の一実施例による自動販売機の商品対決モジュールは、入力部（１５１）、制御部（１５２）及びメモリ部（１５３）を含んでいる。
【００２１】
入力部（１５１）は、特定商品に対する選択信号の入力を受信する。即ち、使用者が、複数商品を販売する自動販売機に現金やカードを投入した後、特定商品を選択する選択信号を入力する。すると、入力部（１５１）は、この入力された選択信号を受信する。
【００２２】
制御部（１５２）は、自動販売機に備えられた商品対決モジュール（１５０）が、所定期間中での商品の販売実績を考慮して商品の順位を決定し、使用者が選択した商品の順位に応じて利益を提供するように制御する。即ち、制御部は、自動販売機により販売された複数商品それぞれをカウントして対決順位を選定し、選定された対決順位を根拠に利益を提供できる。制御部（１５２）は、所定時間中に自動販売機を通じて販売された複数商品それぞれの総販売数をカウントする。また、制御部（１５２）は、自動販売機を通じて販売された複数商品それぞれの総販売額をカウントする。そして制御部（１５２）は、カウントされた総販売数または総販売額を根拠にして複数商品の対決順位を選定する。
【００２３】
次に、制御部（１５２）は、選定された対決順位に応じた利益を提供できる。利益は、この商品を購入した使用者に提供されるものであって、所定金額の割引、プレゼントの提供などを含むことができる。この時、この利益は、選定された対決順位に応じて差をつけて提供することができる。また、制御部（１５２）は、自動販売機に別途に備えられている出力装置によって、現在の複数商品間の商品対決状況をリアルタイムでディスプレイするように制御できる。例えば、制御部（１５２）は、使用者が選択した商品の順位に応じて所定金額が金額返還口を通じて出るようにする。この時、所定金額は、複数の販売を通じて特定商品に割り当てられた累積金額を含むことができる。また、制御部（１５２）は、使用者が選択した商品が所定数さらに出るようにしたり、特定のプレゼントをさらに提供することもできる。また、制御部（１５２）は、自動販売機を通じて販売される商品のうち特定商品に対して、使用者がその特定商品の販売価格より割引された価格（または無料）で購入することができる環境を提供できる。
【００２４】
一方、商品販売モジュール（１５０）の制御部（１５２）は、自動販売機に別途備えられたディスプレイ部（１６０）及び音声出力部（１７０）を通じて、現在の商品対決状況をリアルタイムで出力する。この時、制御部（１５２）は、ディスプレイ部（１６０）を通じて商品対決現況をグラフ（１６１）及び数値などで示すことができる。そして制御部（１５２）は、ディスプレイ部（１６０）を通じて所定領域に商品対決の進行時間（１６２）をさらに示すことができる。また、制御部（１５２）は、音声出力部（１７０）を通じて商品対決現況をリアルタイムで案内でき、警告音などを用いて現在状況の緊迫感などをさらに表現できる。
【００２５】
メモリ部（１５３）は、制御部（１５２）によってカウントされた複数商品の総販売数または総販売額などを格納する。また、メモリ部（１５３）は、今後の戦績管理などに用いられるように選定された対決順位を格納する。
【００２６】
上記したように、本発明の一実施例による自動販売機は、商品対決を進めて複数商品の対決順位を選定し、使用者に選定された対決順位に応じた利益を提供することによって、使用者の興味及び競争心を誘発して積極的な購買意欲を誘導することができる。
【００２７】
一方、本発明の他の実施例による自動販売機は、全ての商品間の対決ではなく、特定商品間の対決を進めることもできる。例えば、自動販売機は１：１の方式で特定商品間の対決を進めることができる。そして、自動販売機は１：１対抗戦を連続で実施したサバイバル連勝方式及びトーナメント方式などに対決方式を変更することもできる。
【００２８】
図３は、本発明の一実施例による自動販売機の商品対決状況をグラフ形態で示すディスプレイ画面を示した図面である。図３に示すように、本発明の一実施例による自動販売機は、別途備えられるディスプレイ装置によって商品対決状況をリアルタイムで提供できる。
【００２９】
まず、特定使用者が自動販売機に現金またはカードを投入し、特定商品を選択して商品を購入する。この時、自動販売機に備えられた商品対決モジュール（図示してない）は、この自動販売機で販売された複数商品の販売実績をカウントする。商品対決モジュールは、所定時間中に自動販売機で販売した複数商品それぞれの総販売数または総販売額をカウントして商品対決を進める。この時、自動販売機は、別途に備えられたディスプレイ装置によって商品対決現況をリアルタイムでディスプレイする。例えば図３のように、商品対決現況をグラフ形態で示すことができる。従って、使用者はディスプレイ装置にディスプレイされた画面を参照して、現在Ａ商品が５０％の占有率で商品対決において１位の状態であることを容易に認知できる。この時、ディスプレイ装置の所定領域に、商品対決勝利時に提供を受けることができる利益または残った商品対決時間などをさらにディスプレイできる。
【００３０】
上記のように、本発明の一実施例による自動販売機は、別途ディスプレイ装置によってグラフ形態でリアルタイムで商品対決状況を提供することによって、使用者が該当商品対決状況を容易に認知して自身に有利な商品を購入し、ゲームを楽しむように楽しく商品を購入できるという長所がある。
【００３１】
図４は、本発明の一実施例による自動販売機を通じて提供される特定商品に対する広告及び広報画面を示した図面である。図４に示したように、本発明の一実施例による自動販売機は、別途備えられるディスプレイ装置によって特定商品に対する広告及び広報画面を提供することができる。
【００３２】
自動販売機は、ディスプレイ装置によって特定商品に対する広告及び広報画面を提供できる。広告及び広報のためのプログラムは、自動販売機に備えられた別途の格納装置に格納される。広告及び広報のためのプログラムは、空中波放送を通じて提供される広告映像、特定団体を通じて行われたリサーチ結果、個人製作映像などを含むことができる。
【００３３】
一方、自動販売機は、商品対決結果に応じて選定された対決順位に相応するように広告及び広報プログラム再生時間を分配できる。例えば、自動販売機は、対決順位が１位である商品の広告を３０分間とし、対決順位が２位である商品の広告を１５分間とするようにすることができる。一方、自動販売機は、ディスプレイ手段を通じて別途のスポンサーに対する広告をさらにすることができる。
【００３４】
上記のように、本発明の一実施例による自動販売機は、別途に備えられたディスプレイ装置を通じて特定商品に対する広告及び広報画面を提供することによって、特定商品に対する販売促進を通じて使用者の購買意欲を誘導することができる。
【００３５】
図５は、本発明の一実施例による自動販売機のイベントに当選した画面である。図５に示したように、本発明の一実施例による自動販売機は、別途備えられたディスプレイ装置によって特定イベントの当選結果をディスプレイできる。
【００３６】
まず、特定使用者が自動販売機に現金やカードが投入し、特定商品を選択する。すると、特定使用者は所望の商品の提供を受けることができる。この時、自動販売機は、特定イベントを提供する。即ち、自動販売機は、所定期間の商品の販売実績を考慮して商品の順位を決定し、使用者が選択した商品の順位に応じて利益を提供する。例えば、自動販売機は、使用者が選択した商品の順位に応じて所定金額が金額返還口を通じて出るようなイベントを提供する。この所定金額は、複数の販売を通じて特定商品に割り当てられた累積金額を含むことができる。この時、累積金額は、特定商品を１回購入したときに返還を受けることができる金額を含むことができる。そして累積金額は、特定商品を１回購入した場合に返還を受けることができる金額を所定回数累積した金額をさらに含むことができる。
【００３７】
また、自動販売機は、使用者が選択した商品が所定数さらに出るようにしたり、特定のプレゼントをさらに提供するイベントであることもできる。また、自動販売機は、販売された商品のうち特定商品に対して、使用者が特定商品の販売価格より割引された価格（または無料）で購入することができる環境を提供することもできる。一方、イベントに当選した場合、自動販売機は、別途備えられたディスプレイ部（１６０）及び音声出力部（１７０）等を通じて、お祝いのメッセージやファンファーレ音楽などをさらに提供することによって効果を大きくすることもできる。
【００３８】
上記したように、本発明の一実施例による自動販売機は、特定イベントを通じて使用者の商品対決参加度を増加させることができるという長所がある。
【００３９】
これまで本発明の具体的な具現例を図面を参照として説明したが、これは本発明の属する技術分野において平均的知識を有する者が容易に理解することができるようにするためのものであって、発明の技術的範囲を制限するためのものではない。従って、本発明の技術的範囲は、特許請求の範囲に記載された事項によって定められ、図面を参照して説明した具現例は、本発明の技術的思想と範囲内で自由に変形したり修正することができる。
【図１】
2013506219.tif 000003
【図２】
2013506219.tif 000004
【図３】
2013506219.tif 000005
【図４】
2013506219.tif 000006
【図５】
2013506219.tif 000007
【手続補正書】
【提出日】平成24年10月29日(2012.10.29)
【手続補正１】
【補正対象書類名】特許請求の範囲
【補正対象項目名】請求項１
【補正方法】変更
【補正の内容】
【請求項１】
特定貨幣が投入される金額投入口と、
金額返還口と、
使用者が商品選択をする使用者入力を受信する入力部と、
前記使用者が選択した商品が出る商品出口と、
所定期間中の商品の販売実績を考慮して商品の順位を決定し、前記使用者が選択した商品の順位に応じて利益が提供されるように制御する商品対決モジュールと、
商品の対決現況を出力するディスプレー部と、
を含むことを特徴とする自動販売機。
【手続補正２】
【補正対象書類名】明細書
【補正対象項目名】０００５
【補正方法】変更
【補正の内容】
【０００５】
上記目的を達成するための本発明の自動販売機は、特定貨幣が投入される金額投入口と、金額返還口と、使用者が商品選択をする使用者入力を受信する入力部と、前記使用者が選択した商品が出る商品出口と、所定期間中の商品の販売実績を考慮して商品の順位を決定し、前記使用者が選択した商品の順位に応じて利益が提供されるように制御する商品対決モジュールと、商品の対決現況を出力するディスプレー部と、を含むことを特徴とする。
【国際調査報告】
2013506219.tif 000008
2013506219.tif 000009
2013506219.tif 000010
2013506219.tif 000011